(57)【要約】【課題】  本発明は、ミチ糸を円滑に出入りさせることができ、さらに、糸通しを簡易に行うことができる中通し浮きを提供する。【解決手段】  浮き本体２と、浮き本体２の一面部２ａに形成された第１凹部４及び浮き本体２の他面部２ｂに形成された第２凹部５の両凹部４，５を連通することによって形成された糸通し孔３と、を有し、第１凹部４の周面及び第２凹部５の周面のうち少なくとも何れか一方が、浮き本体２の内部方向に向かうに従って縮径する傾斜面状に形成されており、糸通し孔３の一部分に最も小径な最小開口部７が形成されている中通し浮き１。【選択図】  図３
2008104430.tif 000002
【特許請求の範囲】
【請求項１】
浮き本体と、浮き本体に貫通して形成された糸通し孔と、を有し、
糸通し孔の径が、貫通方向に於いて異なっており、糸通し孔の一部分に、最も小径な最小開口部が形成されていることを特徴とする中通し浮き。
【請求項２】
浮き本体と、浮き本体の一面部に形成された第１凹部及び浮き本体の他面部に形成された第２凹部の両凹部を連通することによって形成された糸通し孔と、を有し、
第１凹部の周面及び第２凹部の周面のうち少なくとも何れか一方が、浮き本体の内部方向に向かうに従って縮径する傾斜面状に形成されており、糸通し孔の一部分に最も小径な最小開口部が形成されていることを特徴とする中通し浮き。
【請求項３】
前記浮き本体が、扁平状に形成され、この扁平状の浮き本体の一方の扁平面部に前記第１凹部が形成され、扁平状の浮き本体の他方の扁平面部に、前記第２凹部が形成されている請求項２に記載の中通し浮き。
【請求項４】
前記浮き本体が、一方の扁平面部に対して直交する方向から見た形状が、円形または楕円形に形成され、前記最小開口部が、浮き本体の扁平面部の略中央部に形成されている請求項３に記載の中通し浮き。
【請求項５】
前記最小開口部が、直径０．８ｍｍ以上で、且つ貫通長さ５ｍｍ以下である請求項１〜４のいずれかに記載の中通し浮き。
【請求項６】
前記浮き本体の糸通し孔の下方側に、錘が設けられている請求項１〜５のいずれかに記載の中通し浮き。
【発明の詳細な説明】
【技術分野】
【０００１】
本発明は、釣りに使用される中通し浮きに関する。
【背景技術】
【０００２】
従来、魚釣りの浮きとして、中通し浮きが知られている。
中通し浮きは、ドングリ型に形成された浮き本体と、該浮き本体の軸芯を通って上下に貫通する細長い糸通し孔と、を有する。かかる中通し浮きは、糸通し孔にミチ糸を挿通し、ミチ糸の先端部にハリスを連結して使用される。中通し浮きを使用した仕掛けの具体的な構成は、特許文献１の図５などに開示されている。
かかる中通し浮きを用いれば、ミチ糸が浮き本体に固定されず、糸通し孔を通じて出入り可能となっているので、ハリスを潮流に乗せて、撒き餌が漂っている領域に送ることができる。
【０００３】
しかしながら、従来の中通し浮きは、糸通し孔が、浮き本体を貫通する細長いストレート孔であるため、ミチ糸が糸通し孔の内周面の全長に亘って接触する。従って、ミチ糸の糸通し孔に対する接触抵抗が大きくなり、ミチ糸が円滑に出入りしないという問題点がある。
かかる問題点に鑑みて、従来、浮き本体の中心部に、内周面に螺旋状突起を形成した細長いストレート状のセンターパイプが設けられた中通し浮きが提案されている（特許文献１）。
【０００４】
かかる特許文献１に於いては、内周面に螺旋状突起が形成されたパイプを糸通し孔とする中通し浮きは、内周面が単なる曲面状のストレートパイプに比して、ミチ糸の接触抵抗の減少を図することができる旨が述べられている。
しかしながら、釣りに使用するミチ糸は、通常リールやスプールに巻かれているので巻き癖が付いており、リール等から繰り出された際、該ミチ糸は、直線状でなく、螺旋状に湾曲した状態となっている。
従って、ミチ糸は、挿通された糸通し孔内に於いても、直線状ではなく、曲がった状態となっている。このため、上記細長いストレート状のパイプ（糸通し孔）の内周面に螺旋状突起を形成しても、これに挿通されたミチ糸は、螺旋状突起の頂部や螺旋状突起の形成されていない部分に沿って接触する。よって、上記特許文献１に記載の中通し浮きは、実用上に於いては、接触抵抗の低減効果が低く、ミチ糸を円滑に出入りさせることができないのである。
また、内周面に上記螺旋状突起が形成されていると、仕掛けを作る際、糸通し孔の一方の開口部から挿入したミチ糸の先端が螺旋状突起に当たる。このため、仕掛け作りが煩雑となる。
【特許文献１】特開平１１−１２７７４７
【発明の開示】
【発明が解決しようとする課題】
【０００５】
そこで、本発明は、ミチ糸を円滑に出入りさせることができる中通し浮きを提供することを第１の課題とする。
また、本発明は、糸通しを簡易に行える中通し浮きを提供することを第２の課題とする。
【課題を解決するための手段】
【０００６】
そこで、本発明は、浮き本体と、浮き本体に貫通して形成された糸通し孔と、を有し、糸通し孔の径が、貫通方向に於いて異なっており、糸通し孔の一部分に、最も小径な最小開口部が形成されている中通し浮きを提供する。
【０００７】
上記中通し浮きは、ミチ糸を糸通し孔に挿通して使用される。
中通し浮きは、その糸通し孔の一部分に最も小径な最小開口部が形成されているので、該糸通し孔に挿通されたミチ糸は、非常に限られた最小開口部に於いて接触しうるだけである。このため、ミチ糸の出入りが糸通し孔との接触によって阻害され難く、ハリスを潮流に乗せて撒き餌の流れる領域に送ることができる。また、上記最小開口部を有する糸通し孔の場合、巻き癖が付いて曲がったミチ糸でも、糸通し孔に対する接触面積は変わらない。
【０００８】
さらに、本発明は、浮き本体と、浮き本体の一面部に形成された第１凹部及び浮き本体の他面部に形成された第２凹部の両凹部を連通することによって形成された糸通し孔と、を有し、第１凹部の周面及び第２凹部の周面のうち少なくとも何れか一方が、浮き本体の内部方向に向かうに従って縮径する傾斜面状に形成されており、糸通し孔の一部分に最も小径な最小開口部が形成されている中通し浮きを提供する。
好ましくは、第１凹部の周面及び第２凹部の周面の何れもが、浮き本体の内部方向に向かうに従って縮径する傾斜面状に形成されているものである。
【０００９】
上記中通し浮きは、糸通し孔を構成する第１凹部の周面及び第２凹部の周面のうち少なくとも何れか一方が、浮き本体の内部方向に向かうに従って縮径する傾斜面状に形成されている。このため、傾斜面状に形成された第１凹部または第２凹部からミチ糸を挿入する際、ミチ糸の先端が引掛からない。従って、糸通し孔へのミチ糸の糸通しを簡易に行うことができる。
また、上記中通し浮きは、最小開口部が形成されているので、上記で説明したように、ミチ糸の出入りが糸通し孔との接触によって阻害され難い。
【００１０】
本発明の好ましい態様は、上記浮き本体が、扁平状に形成され、この扁平状の浮き本体の一方の扁平面部に第１凹部が形成され、扁平状の浮き本体の他方の扁平面部に、第２凹部が形成されている上記中通し浮きである。
さらに、本発明の好ましい態様は、上記浮き本体が、一方の扁平面部に対して直交する方向から見た形状が、円形または楕円形に形成され、最小開口部が、浮き本体の扁平面部の略中央部に形成されている上記中通し浮きである。
上記好ましい態様の中通し浮きは、使用時に、波や風の影響を受け難く、潮流に乗せて移動させることができる。
【００１１】
また、本発明の好ましい態様は、上記最小開口部が、直径０．８ｍｍ以上で、且つ貫通長さ５ｍｍ以下である上記中通し浮きである。
最小開口部が、上記の寸法に形成されていることにより、ミチ糸の接触抵抗をより低減できるので好ましい。
【００１２】
さらに、本発明の好ましい態様は、上記浮き本体の糸通し孔の下方側に、錘が設けられている上記中通し浮きである。
上記中通し浮きは、錘の浮力調整を行うことにより、使用時、糸通し孔（最小開口部）が水面に位置すると共に、その貫通方向が水面に対して平行となって浮く。このため、水面を漂うミチ糸の伸びる方向と、糸通し孔の貫通方向が一致し、ミチ糸をより円滑に出入りさせることができる。
【発明の効果】
【００１３】
本発明の中通し浮きは、ミチ糸を円滑に出入りさせることができる。よって、ハリスを潮流に乗せて撒き餌の漂う領域に良好に送ることができ、大きな釣果を期待できる。
さらに、本発明の中通し浮きは、糸通しも簡易に行うことができる。従って、仕掛け作りに手間取らず、中通し浮きを用いた仕掛けを素早く作ることができる。
【発明を実施するための最良の形態】
【００１４】
以下、本発明を図面を参照しつつ説明する。
図１〜図３に於いて、１は、本発明の中通し浮きを示す。
中通し浮き１は、浮き本体２と、浮き本体２に貫通して形成された糸通し孔３と、を有する。
浮き本体２は、例えば、２つの扁平面部２ａ，２ｂが形成された扁平状に形成されている。尚、扁平面部とは、該扁平面部を平坦な載置面に置いた際に、安定的に静置できるような面を意味し、後述するように、扁平面部には凹部が形成されているので、平面状に形成されているわけではない。
【００１５】
また、浮き本体２の正面形状（一方の扁平面部２ａに対して直交する方向から見た形状）は、特に限定されないが、図１に示すような円形状が好ましい。なぜなら、中通し浮き１の使用時に、波や風の作用を均等に受け易く、中通し浮き１を潮流に乗せて移動させることができるからである。
なお、浮き本体２の外形の具体的寸法を例示すると、扁平円形状の浮き本体２の場合、直径ｄが１５ｍｍ〜５０ｍｍ程度、厚みｗが７ｍｍ〜２０ｍｍ程度が好ましい。
【００１６】
浮き本体２の材質は、特に限定されず、従来公知の浮きと同様のものを使用できる。浮き本体２の材質としては、合成樹脂及びその発泡体、木、コルクなどの天然素材などが挙げられる。浮き本体２の内部は、中実状でもよいし、中空状でもよい。
【００１７】
該浮き本体２の一方の扁平面部２ａには、内側に凹んだ凹部４（第１凹部４）が形成されている。また、浮き本体２の他方の扁平面部２ｂには、内側に凹んだ凹部５（第２凹部５）が形成されている。この第１凹部４及び第２凹部５は、浮き本体２を挟んで左右対照的に形成されていることが好ましい。
第１凹部４及び第２凹部５は、その底部に於いて連通されている。従って、第１凹部４から第２凹部５にかけて浮き本体２は貫通されており、該貫通部分によって、糸通し孔３が構成されている。
第１凹部４の周面４ａ及び第２凹部５の周面５ａは、浮き本体２の内部方向に向かうに従って縮径する傾斜面状に形成されている。かかる第１凹部４及び第２凹部５の連通によって形成された糸通し孔３は、その径が貫通方向に於いて異なっている。そして、第１凹部４及び第２凹部５の両凹部が連通した部分に、最も小径な最小開口部７が１ヶ所形成されている。
なお、本実施形態では、第１凹部４の周面４ａ及び第２凹部５の周面５ａは、曲面状（傾斜面状に一形態）に形成されている。
【００１８】
最小開口部７の開口径は特に限定されないが、余りに小さいとミチ糸が通らないことから、最小開口部７の直径Ｄは、０．８ｍｍ以上が好ましく、更に、２ｍｍ以上がより好ましい。また、最小開口部７は、大きいほどミチ糸が通り易く且つ接触しないので好ましいが、余りに大きすぎると最小開口部７をクッションなどの止め具（仕掛けの１種）が抜けるという不都合がある。かかる観点から、最小開口部７の直径Ｄは、５ｍｍ以下が好ましく、更に、３ｍｍ以下がより好ましい。
【００１９】
さらに、最小開口部７の長さ（貫通方向の長さ）についても特に限定されないが、余りに長いとミチ糸の接触面積の低減効果を期待できないことから、最小開口部７の貫通長さＬは、５ｍｍ以下が好ましく、更に、３ｍｍ以下がより好ましく、２ｍｍ以下が特に好ましい。なお、最小開口部７の貫通長さは、限りなく零に近いことが好ましい。
【００２０】
なお、本実施形態で例示の浮き本体２は、円柱体を丸めてその上下端部を接合させた恰もドーナツ状に形成されている。また、浮き本体２には、最小開口部７に対応する部分に、金属製等のリング部材２１が嵌め込まれている。このリング部材２１は、内周面が円筒状に形成されており、このリング部材２１の内周面が、最小開口部７を構成している。従って、リング部材２１の貫通長さが、最小開口部７の貫通長さに相当している。
【００２１】
さらに、浮き本体２には、錘８が設けられている。錘８は、通常、鉛などの金属が用いられるが、浮き本体よりも比重が高く、且つ浮力を調整できるものであれば、金属以外のものを用いることもできる。
錘８の重さは、特に限定されず、適宜に浮力調整される。中でも、中通し浮き１を水中に浮かした際に浮き１のぐらつきをより防止できることから、図４に示すように、糸通し孔３よりも上方側が水面Ｘに位置するように、錘８が浮力調整されていることが好ましい。
また、錘８を設ける位置は、特に限定されないが、中通し浮き１を水中に浮かした際、その糸通し孔３の貫通方向が水面に対して略平行となるように、錘８が設けられていることが好ましい。このような錘８の位置としては、図３に示すように、糸通し孔３の貫通方向中央部の下方側が例示される。
【００２２】
本発明の中通し浮き１は、従来の中通し浮きと同様にして使用される。
具体的には、リールやスプールなどに巻かれたミチ糸を繰りだし、これを本発明の中通し浮き１の糸通し孔３に挿通する。さらに、該中通し浮き１の下方側に於けるミチ糸に、クッションなどの止め具、天秤、撒き餌籠、ハリスなどを連結し、中通し浮き１の上方側に於けるミチ糸に、浮き止めなどを連結して仕掛けを作る。
上記中通し浮き１は、第１凹部４又は第２凹部５からミチ糸が入れられる。この第１凹部４の周面４ａ及び第２凹部５の周面５ａは、浮き本体２の内部に向かうに従って縮径する傾斜面状に形成されている。このため、糸通し孔３にミチ糸を挿通する際、ミチ糸の先端が引掛かり難い。従って、糸通し孔３へのミチ糸の糸通しを簡易に行うことができる。
【００２３】
作った仕掛けは、水中に投入して使用される。
上記中通し浮き１の糸通し孔３は、第１凹部４及び第２凹部５の間に１ヶ所の最小開口部７が形成されている。従って、ミチ糸は、非常に限られた最小開口部７の１ヶ所のみで接触しうるだけなので、ミチ糸の糸通し孔３に対する接触抵抗が極めて小さくなる。このため、ミチ糸の出入りが糸通し孔３との接触によって阻害され難く、ハリスを潮流に乗せて撒き餌の漂う領域に送ることができる。また、上記中通し浮き１は、巻き癖が付いて曲がったミチ糸でも、糸通し孔３に対する接触面積は変わらない。
【００２４】
さらに、上記好ましい浮力調整の成された中通し浮き１は、図４に示すように、糸通し孔３（最小開口部７）の上方側が水面Ｘに位置すると共に、その貫通方向が水面Ｘに対して平行となって浮く。
通常、中通し浮きを使用した仕掛けの場合、ミチ糸はピンと張っておらず、弛んだ状態となっている。かかるミチ糸Ｙは、図示したように、水面Ｘ上を漂っている。
従って、糸通し孔３が水面Ｘ近傍に位置し且つその貫通方向が水面Ｘに対して平行となって浮く上記好ましい中通し浮き１の場合、ミチ糸Ｙの伸びる方向と、糸通し孔３の貫通方向が一致する。このため、ミチ糸Ｙをより円滑に出入りさせることができるのである。
【００２５】
次に、本発明の変形例を示す。ただし、変形例の説明は、上記実施形態の構成及び効果と異なる部分について主として説明し、上記実施形態と同様の構成などの事項については説明を省略し、用語や符号を援用する場合がある。
上記実施形態では、浮き本体２は、正面視円形状に形成されているが、これに限られず、例えば、図５に示すように、正面視楕円形状（図示したような団栗型の楕円でもよい）、正面視矩形状などに形成されていてもよい。
【００２６】
また、上記実施形態では、浮き本体２に内周面が円筒状のリング部材２１を１個嵌め込むことによって、糸通し孔３の最小開口部７が形成されているが、例えば、図６（ａ）に示すように、浮き本体２にリング部材２２を複数（例えば２個）嵌め込むことによって最小開口部７を構成することもできる。
具体的には、該リング部材２２は、例えば、内周面の一部分に最も小径な部分２２ａを有するもので、２個のリング部材２２，２２は、左右重ねて嵌め込まれている（なお、２個のリング部材２２，２２の間には、間隙を有していても良い）。２個のリング部材２２，２２の最小径部分２２ａ，２２ａが、糸通し孔３の最小開口部７を構成している。従って、最小開口部７の直径Ｄは、リング部材２２の最小径部分２２ａの径に相当し、最小開口部７の長さＬは、両リング部材２２，２２の最小径部分２２ａ，２２ａの間の長さに相当する。この場合に於いても、最小開口部７の直径Ｄや長さＬの具体的寸法は、上記実施形態で示した通りである。
さらに、上記実施形態では、最小開口部７は、所定の長さを有するが、最小開口部７の長さ（貫通方向の長さ）がほぼ零に形成されていてもよい。このような最小開口部７は、図６（ｂ）に示すように、最小開口部７を構成する部分を尖状（角状）に形成することが例示される。かかる最小開口部７を有する中通し浮き１は、ミチ糸との接触面積を特に少なくできるので、好ましい態様である。
【００２７】
さらに、上記実施形態では、浮き本体２の第１凹部４の周面４ａ及び第２凹部５の周面５ａは、曲面状に形成されているが、例えば、図７（ａ）及び（ｂ）に示すように、断面直線となる傾斜面状に形成されていてもよい。
また、上記実施形態では、浮き本体２は、円柱体を丸めてその上下端部を接合させた形状に形成されているが、例えば、図７（ｂ）に示すように、四角柱体を丸めてその上下端部を接合させた形状に形成されていてもよい。
【００２８】
さらに、上記実施形態では、錘８は、糸通し孔３の下方側に設けられているが、例えば、図７（ａ）に示すように、錘８が、浮き本体２の一面部側に偏って設けられていてもよい。かかる中通し浮き１は、水中に投入した際、糸通し孔３の貫通方向が水面と直交するように浮く。
なお、図７（ｂ）に示すように、本発明の中通し浮き１は、錘を設けないものでもよい。また、浮き本体２は、リング２１が設けられていなくてもよい。
【００２９】
また、上記実施形態では、最小開口部７は、第１凹部４及び第２凹部５の連通する浮き本体２の断面視中央部に形成されているが、最小開口部７の形成位置は、浮き本体２の断面視中央部に限られず、第１凹部４又は第２凹部５の何れかの側へ偏った位置に形成されていてもよい。さらに、最小開口部７は、図７（ｃ）に示すように、浮き本体２の他面部（例えば、扁平面部２ｂに形成されていてもよい。この場合、浮き本体２の他面部に形成された第２凹部５が、最小開口部７となる。
【００３０】
さらに上記実施形態では、糸通し孔３は、浮き本体２の正面視中央部に形成されているが、例えば、図８に示すように、糸通し孔３は、浮き本体２の縁部（例えば上縁部）に偏った位置に形成されていてもよい。
さらに、上記実施形態では、糸通し孔３は、１つの浮き本体２に対して１個形成されているものを例示したが、１つの浮き本体２に対して２個以上の糸通し孔が形成されていてもよい。このように複数の糸通し孔を有する中通し浮き１に於いて、そのうち少なくとも１個の糸通し孔３に、上記最小開口部７が形成されていればよい。
【図面の簡単な説明】
【００３１】
【図１】本発明の一実施形態に係る中通し浮きの正面図。
【図２】同側面図。
【図３】図１のI−I線で切断した（糸通し孔の貫通方向を含む平面で切断した）断面図。
【図４】中通し浮きの使用状態を示す一部省略参考断面図。
【図５】（ａ）、（ｂ）共に、本発明の他の実施形態に係る中通し浮きの正面図。
【図６】（ａ）、（ｂ）共に、本発明の他の実施形態に係る中通し浮きの（糸通し孔の貫通方向を含む平面で切断した）断面図。
【図７】（ａ）〜（ｃ）共に、本発明の他の実施形態に係る中通し浮きの（糸通し孔の貫通方向を含む平面で切断した）断面図。
【図８】（ａ）は、本発明の他の実施形態に係る中通し浮きの正面図、（ｂ）は、同図（ａ）のII−II線で切断した断面図。
【符号の説明】
【００３２】
１…中通し浮き、２…浮き本体、２ａ…一方の扁平面部、２ｂ…他方の扁平面部、３…糸通し孔、４…第１凹部、４ａ…第１凹部の周面、５…第２凹部、５ａ…第２凹部の周面、７…最小開口部、８…錘
【図１】
2008104430.tif 000003
【図２】
2008104430.tif 000004
【図３】
2008104430.tif 000005
【図４】
2008104430.tif 000006
【図５】
2008104430.tif 000007
【図６】
2008104430.tif 000008
【図７】
2008104430.tif 000009
【図８】
2008104430.tif 000010